(57)【要約】【課題】少ない水で汚物を良好に排出することのできる排水ソケットを提供する。【解決手段】上部の流入口４ａ側に便器の排水口８が接続され、下部の流出口４ｂ側が排水管９に挿着されて床面Ｆに固定されるとともに、流出口４ｂ側には、サイホン起動用の絞り部５が形成されてなる排水ソケット１において、絞り部５の下流に、排水管９の径よりも小径のガイド流路６を床面Ｆに対し傾斜させて絞り部５から下方に連続形成させて構成する。【選択図】図２
2014101750.tif 000002
【特許請求の範囲】
【請求項１】
上部の流入口側に便器の排水口が接続され、下部の流出口側が排水管に挿着されて床面に固定されるとともに、前記流出口側には、サイホン起動用の絞り部が形成されてなる排水ソケットにおいて、
前記絞り部の下流に、前記排水管の径より小径のガイド流路を前記床面に対し傾斜させて該絞り部から下方に連続形成させたことを特徴とする排水ソケット。
【請求項２】
前記排水ソケットは、前記流入口と流出口が偏心されてなり、前記ガイド流路の傾き方向が排水ソケットの偏心方向と同じに設定されていることを特徴とする請求項１に記載の排水ソケット。
【請求項３】
上部の流入口側に便器の排水口が接続され、下部の流出口側が排水管に挿着されて床面に固定されるとともに、前記流出口側には、サイホン起動用の絞り部が形成されてなる排水ソケットであって、
該排水ソケットは前記流入口から流出口に至る流路が曲げられており、前記流出口から流下する排水の流下方向に対して略垂直となる方向に前記絞り部を傾けたことを特徴とする排水ソケット。
【請求項４】
上部の流入口側に便器の排水口が接続され、下部の流出口側が排水管に挿着されて床面に固定されるとともに、前記流出口側には、サイホン起動用の絞り部が形成されてなる排水ソケットであって、
該排水ソケットは前記流入口から流出口に至る流路が曲げられており、前記流出口から流下する排水の流下方向と同じ方向に前記絞り部を偏心させたことを特徴とする排水ソケット。
【請求項５】
前記流入口から流出口に至る流路が曲げられており、前記流出口から流下する排水の流下方向に対して略垂直となる方向に前記絞り部を傾けたことを特徴とする請求項１または請求項２に記載の排水ソケット。
【請求項６】
前記流入口から流出口に至る流路が曲げられており、前記流出口から流下する排水の流下方向と同じ方向に前記絞り部を偏心させたことを特徴とする請求項１または請求項２または請求項５に記載の排水ソケット。
【発明の詳細な説明】
【技術分野】
【０００１】
本発明は、上部に便器の排水口が接続され、下部が排水管に挿着されて床面に固定される排水ソケットに関するものである。
【背景技術】
【０００２】
従来、特許文献１に開示されているように、上部の流入口側に便器の排水口が接続され、下部の流出口側が、床面に埋設された排水管に挿着されて床面に固定され、流出口側にサイホン起動用の絞り部が形成されてなる排水ソケットが存在する。
【先行技術文献】
【特許文献】
【０００３】
【特許文献１】特開２０００−３２８６３３号公報
【発明の概要】
【発明が解決しようとする課題】
【０００４】
従来、少ない水で便器から汚物を良好に排出するためには、（Ａ）排水を早く溜めてサイホンの起動速度を高めること、（Ｂ）溜まる水の水頭圧を向上させてサイホン力を高めること、（Ｃ）排水をスムーズに抜けさせてサイホン流速を高めるといった３つのサイホン作用を高めることが考えられる。
例えば、上記従来技術の排水ソケットの構造のように、サイホンを起動させるため流出口側にサイホン起動用の絞り部を形成した場合には、絞り部の下流側では排水が飛び散り、排水がスムーズに抜け難く、サイホン流速は速くならないという問題点があった。
一方、絞り部を小さくすれば、排水がスムーズに抜けサイホン流速が速くなるが、サイホンの起動速度が遅くなるという問題がある。
このように、サイホンの起動速度、サイホン力、サイホン流速の３つのサイホン作用は相反する作用である。即ち、絞り部を大きくすればサイホンの起動速度を高めることができるが、絞り部の下流側へ排水がスムーズに抜け難くなり、サイホン流速が遅くなるという問題があった。また、絞り部の位置を下方にして溜まる水の水頭圧を向上させてサイホン力を高めようとすると、排水が早く溜まらずサイホンの起動速度が遅くなるという問題があり、絞り部を小さくすれば排水をスムーズに抜けさせてサイホン流速を高めることができるが、排水が早く溜まらずサイホンの起動速度が弱まるという問題があった。
そのため、上記３つのサイホン作用を他のサイホン作用を損なうことなく向上させて、少ない水で汚物を排出することのできる排水ソケットの出現が望まれていた。
【課題を解決するための手段】
【０００５】
本発明は、少ない水で汚物を良好に排出することのできる排水ソケットを提供することを目的とし、この目的の少なくとも一部を達成するために以下の手段を採った。
本発明の排水ソケットは、上部の流入口側に便器の排水口が接続され、下部の流出口側が排水管に挿着されて床面に固定されるとともに、前記流出口側には、サイホン起動用の絞り部が形成されてなる排水ソケットにおいて、前記絞り部の下流に、前記排水管の径より小径のガイド流路を前記床面に対し傾斜させて該絞り部から下方に連続形成させたことを要旨とする。
【発明の効果】
【０００６】
本発明では、絞り部の下流にガイド流路を設け、このガイド流路は、排水管の径より小径で床面に対し傾斜させて絞り部から下方に連続形成させたものであるため、絞り部でサイホンが起こった後に、ガイド流路を通り排水がスムーズに抜けて、サイホン流速が速くなる効果を有し、また、ガイド流路は床面に対し傾いているため、ガイド流路内で排水が流路内壁面に当たって抵抗が生じ、この抵抗により、絞り部よりも下流側でサイホンを起こすことができ、そのため水頭圧が上がり、サイホン力が向上するものとなる。
【０００７】
また、上記排水ソケットにおいて、前記流入口と流出口が偏心されてなり、前記ガイド流路の傾き方向が排水ソケットの偏心方向と同じに設定されている構成とすることもできる。
こうすれば、排水ソケットが偏心されているため、排水は偏心方向に曲げられ、排水は床面に垂直な方向には落ちずに偏心方向に向かって落ちてゆくこととなり、ガイド流路の傾き方向が排水ソケットの偏心方向と同じであれば、絞り部下流のガイド流路内での排水の抵抗は小さくなり、サイホン流速の低下が防がれることとなる。
【０００８】
また、本発明は、上部の流入口側に便器の排水口が接続され、下部の流出口側が排水管に挿着されて床面に固定されるとともに、前記流出口側には、サイホン起動用の絞り部が形成されてなる排水ソケットであって、該排水ソケットは前記流入口から流出口に至る流路が曲げられており、前記流出口から流下する排水の流下方向に対して略垂直となる方向に前記絞り部を傾けた構成とすることもできる。
こうすれば、排水ソケットは流入口から流出口に至る流路が曲げられているため、排水は流路が曲げられている方向に流下するが、絞り部は、流出口から流下する排水の流下方向に対して略垂直になる方向に傾けられているため、絞り部に垂直に排水が当たり、排水を溜め易くなり、サイホンの起動速度を高めることができるものとなり、また、絞り部内を排水が抵抗なく流れるため、排水がスムーズに抜けてサイホン流速が速くなる。
【０００９】
また、本発明は、上部の流入口側に便器の排水口が接続され、下部の流出口側が排水管に挿着されて床面に固定されるとともに、前記流出口側には、サイホン起動用の絞り部が形成されてなる排水ソケットであって、該排水ソケットは前記流入口から流出口に至る流路が曲げられており、前記流出口から流下する排水の流下方向と同じ方向に前記絞り部を偏心させた構成とすることもできる。
こうすれば、サイホン起動前は排水の流速が遅いために、排水の流下方向と反対側の広い面積の絞り部の上面に排水が広い範囲で当たり、排水を早く溜めることができ、サイホンの起動速度を速めることができるものとなる。
【００１０】
また、本発明は、絞り部の下流に、排水管の径より小径のガイド流路が床面に対し傾斜させて該絞り部から下方に連続形成されている排水ソケットにおいて、流入口から流出口に至る流路が曲げられており、流出口から流下する排水の流下方向に対して略垂直となる方向に前記絞り部を傾けた構成とすることもできる。
こうすれば、絞り部でサイホンが起こった後に、ガイド流路を通り排水がスムーズに抜けて、サイホン流速が速くなる効果を有し、また、ガイド流路は床面に対し傾いているため、ガイド流路内で排水が流路内壁面に当たって抵抗が生じ、この抵抗により、絞り部よりも下流側でサイホンを起こすことができ、そのため水頭圧が上がり、サイホン力が向上するものとなる。また、絞り部は、流出口から流下する排水の流下方向に対して略垂直になる方向に傾けられているため、絞り部に垂直に排水が当たり、排水を溜め易くなり、サイホンの起動速度を高めることができるものとなり、また、絞り部内を排水が抵抗なく流れるため、排水がスムーズに抜けてサイホン流速が速くなる。
【００１１】
また、本発明は、絞り部の下流に、排水管の径より小径のガイド流路が床面に対し傾斜させて該絞り部から下方に連続形成されている排水ソケットにおいて、流入口から流出口に至る流路が曲げられており、流出口から流下する排水の流下方向と同じ方向に前記絞り部を偏心させた構成とすることもできる。
こうすれば、サイホン起動前は排水の流速が遅いために、排水の流下方向と反対側の広い面積の絞り部の上面に排水が広い範囲で当たり、排水を早く溜めることができ、サイホンの起動速度を速めることができるものとなる。
【図面の簡単な説明】
【００１２】
【図１】第１実施例の排水ソケットの設置状態の縦断面構成図である。
【図２】第１実施例の変更例の排水ソケットの設置状態の縦断面構成図である。
【図３】第２実施例の排水ソケットの設置状態の縦断面構成図である。
【図４】第３実施例の排水ソケットの設置状態の縦断面構成図である。
【図５】図４のＡ−Ａ線断面構成図である。
【図６】第３実施例の変形例の排水ソケットの設置状態の縦断面構成図である。
【図７】第４実施例の排水ソケットの設置状態の縦断面構成図である。
【発明を実施するための形態】
【００１３】
次に、本発明を実施するための形態を実施例を用いて説明する。
【実施例１】
【００１４】
図１は、第１実施例の排水ソケットの縦断面拡大構成図である。
排水ソケット１は、その本体部２の上部に、上面が開放されたお椀状に接続椀部２ａが一体形成されており、本体部２の下端側には、外側へ突出して排水管固定部２ｂが一体形成されている。
この本体部２の下端側には、円筒部材３が接着剤で接着されて一体化されており、円筒部材３の下部は、下方へ垂下状に延びる排水管差込部３ａとなっており、さらに排水管差込部３ａから下方へ向かって連続してガイド部３ｂが垂下状に一体形成されている。
【００１５】
前記接続椀部２ａの上面側には、ゴムパッキン７が嵌め込まれており、このゴムパッキン７内に、上方より大便器の排水口８が差し込まれて、水密状に大便器の排水口８が排水ソケット１に接続されるものである。
また、排水ソケット１は、排水管固定部２ｂにボルト等を締め付けて床面Ｆに固定されるものであり、床面Ｆに埋設状に立ち上げられている排水管９に対し、排水管９内に排水管差込部３ａを挿着させて排水ソケット１の下部が排水管９に接続されるものである。
【００１６】
排水ソケット１の本体部２内には偏心流路４が形成されており、この偏心流路４の上端の流入口４ａに対し、偏心流路４の下端の流出口４ｂは、その中心が図示左方向にずれて偏心されている。
また、偏心流路４の内壁は緩やかに傾斜して、その上部部位には図示右側から左側に向かって上方から下方に下傾する傾斜状の排水受け面４ｃが形成されており、この排水受け面４ｃから下方に連続して、ほぼ垂直に排水案内面４ｄが偏心流路４内に形成されている。また、排水案内面４ｄの下端側、即ち流出口４ｂ側はラッパ状に拡径されている。
【００１７】
この流出口４ｂの下方に、排水管差込部３ａの下端が配置されており、排水管差込部３ａの下端に、内径を狭めたオリフィス状の絞り部５が形成され、この絞り部５から垂下状にガイド部３ｂが連続して一体形成されて、ガイド部３ｂ内のガイド流路６は、上方から下方に向かって図示右側へ傾いた曲面形状に形成されている。
【００１８】
なお、絞り部５の上面に、床面Ｆに平行なリング状の受け面５ａ，受け面５ｂが形成されており、この受け面５ａ，５ｂに排水が当たるものである。
このように、排水ソケット１の本体部２内に形成されている偏心流路４は、上方から下方へ向かって図示左側方向に偏心されており、流入口４ａと流出口４ｂの中心を結ぶ中心軸線Ｐは左側へ傾いており、また本例では、その下方のガイド流路６の中心軸線Ｐ１は、偏心流路４の中心軸線Ｐに対し交差するように右側へ傾いたものとなっている。
【００１９】
次に、このような排水ソケット１内での排水の流れを説明する。
大便器の排水口８を通り、汚物とともに排水が排水ソケット１の偏心流路４内に流れ落ちてくるが、最初は排水の流速は遅く、排水は偏心流路４の内周面である排水受け面４ｃに当たり、この排水受け面４ｃから排水案内面４ｄに沿って流下する。即ち、最初は図中ａで示す矢印の流れで排水は流下する。この流下する排水は、絞り部５の受け面５ａ，５ｂに当たり、受け面５ａ，５ｂの上方に排水が溜まり、偏心流路４内が排水で満たされることでサイホンが起動することとなる。
【００２０】
即ち、最初は図中ａで示す矢印の流れで排水は流下するが、サイホン起動後は、排水の流速は高まり、図中ｂで示すように偏心流路４の偏心方向に傾斜して排水が流れ、偏心流路４内を排水で満たされた状態で、偏心方向に曲げられながら流れてゆくこととなり、排水はガイド流路６の内壁に図中ｃで示すような流れで当たり、ここで若干の抵抗が生じて、絞り部５よりも下方のガイド流路６内でもサイホンが起こることとなる。
これにより、ガイド流路６から上方の排水の高さ、即ち水頭圧が上がり、これにより従来よりもサイホン力が向上することとなる。
【００２１】
また、排水はガイド流路６に沿って下流側へ排水されるため、排水が絞り部５の下方で飛び散って乱れることが少なくなり、そのぶんサイホン流速が速くなり、排水をスムーズに抜くことができるものとなる。
なお、絞り部５の高さ位置は従来と同じに設定しておけば、絞り部５よりも上方に溜まる排水の体積は従来の排水ソケットと同じであるため、サイホン起動速度は従来と同じにすることができ、本例では、さらに、水頭圧を上げてサイホン力を高めることができ、また、絞り部５の下流において排水を良好にガイド流路６でガイドしてスムーズに抜けさせ、サイホン流速を速めることができるものとなる。このため、少ない水でも良好に汚物を排水することができるものとなる。
【００２２】
なお、排水ソケット１の本体部２内が偏心のないほぼ垂直な流路である場合でも、ガイド流路６を床面Ｆに対し傾かせておけば、傾いたガイド流路６内で排水は抵抗を受け、絞り部５よりも下流側でサイホンを起こすことができ、水頭圧を上げてサイホン力を高めることができるものとなる。
また、ガイド流路６内を通し排水をスムーズに抜けさせて、サイホン流速を速めることができるものとなる。
【００２３】
次に、図２は第１実施例の変更例を示すものである。
図２では、絞り部５よりも下流側のガイド部３ｂ内に形成されたガイド流路６を、上方から下方側に向かって図示左方向に中心軸線Ｐ１を偏心させて形成したものである。
即ち、図２では、ガイド流路６の中心軸線Ｐ１の傾き方向は、排水ソケット１の本体部２内の偏心流路４の中心軸線Ｐと同方向にされ、ガイド流路６の傾き方向が排水ソケット１の偏心流路４の偏心方向と同じに設定されたものである。その他の構成は、図１のものと同様である。
【００２４】
このように構成した場合は、ガイド流路６内を流れ落ちる排水の抵抗が図１のものよりも小さくなり、サイホン流速の低下を防ぐことができるものとなる。そのため、図１のものよりも絞り部５の下方での水の飛び散りなどの乱れを少なくして、排水をスムーズに抜けさせることができるものとなる。
即ち、偏心流路４内で偏心方向に排水が曲げられて、排水は床面に垂直な方向に落ちずに偏心方向に向かって落ちてゆくため、偏心流路４の偏心方向とガイド流路６の傾き方向が同じであれば、ガイド流路６内をスムーズに排水が通過することとなる。
なお、この場合でも、ガイド流路６内で若干の抵抗を受けて絞り部５の下方でサイホンを起こすことができ、水頭圧を上げてサイホン力を従来よりも高めることができるものである。
【実施例２】
【００２５】
次に、図３では、本発明の第２実施例を説明する。
排水ソケット１は、その本体部２の上部に、上面が開放されたお椀状に接続椀部２ａが一体形成されており、本体部２の下端側には、外側へ突出して排水管固定部２ｂが一体形成されている。
この本体部２の下端側には、円筒部材３が接着剤で接着されて一体化されており、円筒部材３の下部は、下方へ垂下状に延びる排水管差込部３ａとなっている。
【００２６】
前記接続椀部２ａの上面側には、ゴムパッキン７が嵌め込まれており、このゴムパッキン７内に、上方より大便器の排水口８が差し込まれて、水密状に大便器の排水口８が排水ソケット１に接続されるものである。
また、排水ソケット１は、排水管固定部２ｂにボルト等を締め付けて床面Ｆに固定されるものであり、床面Ｆに埋設状に立ち上げられている排水管９に対し、排水管９内に排水管差込部３ａを挿着させて排水ソケット１の下部が排水管９に接続されるものである。
【００２７】
排水ソケット１の本体部２内には偏心流路４が形成されており、この偏心流路４の上端の流入口４ａに対し、偏心流路４の下端の流出口４ｂは、その中心が図示左方向にずれて偏心されている。
また、偏心流路４の内壁は緩やかに傾斜して、その上部部位には図示右側から左側に向かって上方から下方に下傾する傾斜状の排水受け面４ｃが形成されており、この排水受け面４ｃから下方に連続して、ほぼ垂直に排水案内面４ｄが偏心流路４内に形成されている。また、排水案内面４ｄの下端側、即ち流出口４ｂ側はラッパ状に拡径されている。
【００２８】
この流出口４ｂの下方に、排水管差込部３ａの下端が配置されており、排水管差込部３ａの下端に、内径を狭めたオリフィス状の絞り部５が形成され、この絞り部５は、排水ソケット１の流入口４ａから流出口４ｂに向かって流下する排水に対して略垂直となる方向に傾けられて形成されている。即ち、絞り部５の左側の受け面５ａよりも右側の受け面５ｂは低い位置となっており、偏心流路４の流入口４ａと流出口４ｂの中心を結ぶ中心軸線Ｐが、絞り部５の受け面５ａと受け面５ｂを結ぶ面に対し略垂直となるように設定されており、絞り部５は床面Ｆに対して図示左側から右側に向かって下傾した傾きとなっている。
【００２９】
次に、第２実施例の排水の流れを説明する。
大便器の排水口８から汚物とともに排水ソケット１の偏心流路４内に流入される排水は、最初は流速が遅いため偏心流路４の排水受け面４ｃに当たり、排水案内面４ｄに沿って図中ａで示す方向に流下して、絞り部５の受け面５ａ，５ｂに当たり、排水が偏心流路４内に溜められてサイホンが起動されることとなる。サイホン起動後は流速が速く、偏心流路内を排水で満たされた状態で、図中ｂで示す方向、即ち偏心流路４の偏心方向に排水が曲げられながら流れてゆく。
【００３０】
ここで絞り部５は、流入口４ａから流出口４ｂに向かって流下する排水に対して略垂直となる方向に傾けられているため、排水の流れに対して絞り部５の受け面５ａ，５ｂを確保したまま絞り部５内の流路を広げることができ、流れ落ちる排水の抵抗を少なくすることができるものとなり、そのためサイホン起動後の排水の抜けがスムーズとなり、サイホン流速を速くすることができるものとなる。
なお、絞り部５の高さ位置は従来と同じに設定しておけば、絞り部５よりも上方に溜まる排水の体積は従来の排水ソケットと同じであるため、サイホン起動速度は従来と同じにすることができ、本例では、さらに、サイホン起動後の排水の抜けを従来よりも速くすることができるものとなる。
【実施例３】
【００３１】
次に、図４には第３実施例の排水ソケットを示し、また図５では、図４のＡ−Ａ線断面図を示す。
排水ソケット１は、その本体部２の上部に、上面が開放されたお椀状に接続椀部２ａが一体形成されており、本体部２の下端側には、外側へ突出して排水管固定部２ｂが一体形成されている。
この本体部２の下端側には、円筒部材３が接着剤で接着されて一体化されており、円筒部材３の下部は、下方へ垂下状に延びる排水管差込部３ａとなっている。
【００３２】
前記接続椀部２ａの上面側には、ゴムパッキン７が嵌め込まれており、このゴムパッキン７内に、上方より大便器の排水口８が差し込まれて、水密状に大便器の排水口８が排水ソケット１に接続されるものである。
また、排水ソケット１は、排水管固定部２ｂにボルト等を締め付けて床面Ｆに固定されるものであり、床面Ｆに埋設状に立ち上げられている排水管９に対し、排水管９内に排水管差込部３ａを挿着させて排水ソケット１の下部が排水管９に接続されるものである。
【００３３】
排水ソケット１の本体部２内には偏心流路４が形成されており、この偏心流路４の上端の流入口４ａに対し、偏心流路４の下端の流出口４ｂは、その中心が図示左方向にずれて偏心されている。
また、偏心流路４の内壁は緩やかに傾斜して、その上部部位には図示右側から左側に向かって上方から下方に下傾する傾斜状の排水受け面４ｃが形成されており、この排水受け面４ｃから下方に連続して、ほぼ垂直に排水案内面４ｄが偏心流路４内に形成されている。また、排水案内面４ｄの下端側、即ち流出口４ｂ側はラッパ状に拡径されている。
【００３４】
この流出口４ｂの下方に、排水管差込部３ａの下端が配置されており、排水管差込部３ａの下端に、内径を狭めたオリフィス状の絞り部５が形成され、絞り部５は、図示左側の受け面５ａの面積が狭く、図示右側の受け面５ｂの面積が広く設定されている。即ち、絞り部５の中心軸は従来よりも図示左方向に偏心した位置に設定されており、偏心流路４の偏心方向と同じ方向に絞り部５が偏心されている。即ち、流出口４ｂ手前における流路の傾き方向と同じ方向に絞り部５が偏心されている。
【００３５】
次に、第３実施例における排水の流れを説明する。
大便器の排水口８から汚物とともに偏心流路４内に流入される排水は、サイホンが起こる前は流速が遅いために、偏心流路４内の排水受け面４ｃに排水が当たり、排水はほぼ垂直な排水案内面４ｄに沿って図中ａで示す方向に流下し、絞り部５の右側の受け面５ｂに当たる。この右側の受け面５ｂの面積は従来のものよりも大であるために排水が溜まりやすく、良好に上方の偏心流路４内に排水を溜めてサイホンを起動させることができるものとなる。
サイホン起動後には排水の流速は速く、偏心流路４内を排水で満たされた状態で、偏心流路４の偏心方向に排水が曲げられながら、図中ｂの矢印で示す方向に排水は流れてゆくこととなる。
【００３６】
このように本例の構造では、右側の絞り部５の受け面５ｂの面積が広いために、速く排水を溜めてサイホンの起動を速めることができ、しかも、絞り部５の受け面５ａ，５ｂ全体の面積と絞り部５の流路の面積は従来の排水ソケットと同じであるため、サイホン後のサイホン流速を従来と同じにできるものとなる。
【００３７】
なお、図６は第３実施例の変更例を示すものである。
図６の排水ソケット１は、本体部が本体上部２Ａと本体下部２Ｂに分割されており、本体下部２Ｂの上端に本体上部２Ａの下部が接続部Ｂで接続されて一体化されたものであり、本体上部２Ａと本体下部２Ｂ内に偏心流路４が形成されており、この偏心流路４は、上端の流入口４ａから接続部Ｂ間では図示左側へ曲げられて形成され、接続部Ｂから下端の流出口４ｂ間では図示右側へ曲げられて、偏心流路４は略Ｓ字状に曲げられた流路となっている。
【００３８】
また、本例では、流出口４ｂの位置に絞り部５が形成されており、この絞り部５は中心が図示右側へ偏心されて形成されており、左側の受け面５ｂの面積が広く、右側の受け面５ｂの面積が狭く設定されている。
このような構成では、サイホン起動前は排水の流速が遅いために、流入口４ａから偏心流路４内に流下する排水は排水受け面４ｃに当たり、この排水受け面４ｃに沿って矢印ａのように流下して、広い面積の絞り部５の受け面５ａに当たり、広い面積の受け面５ａで排水を受け止めて排水流路４内に早く水を溜めることができ、サイホンの起動速度を高めることができるものとなる。
【００３９】
また、サイホン起動後は、偏心流路４が排水で満たされた状態で排水が偏心流路４の曲がりに沿って曲げられながら矢印ｂの方向に流下し、流出口４ｂから流下する排水の流れ方向は右側に傾いた方向となる。即ち、本体下部２Ｂの内側に湾曲状に形成されている排水受け面４ｅに沿って右方向に排水が流下されるものである。
【実施例４】
【００４０】
図７は、第４実施例の排水ソケットを示す。
排水ソケット１は、その本体部２の上部に、上面が開放されたお椀状に接続椀部２ａが一体形成されており、本体部２の下端側には、外側へ突出して排水管固定部２ｂが一体形成されている。
この本体部２の下端側には、円筒部材３が接着剤で接着されて一体化されており、円筒部材３の下部は、下方へ垂下状に延びる排水管差込部３ａとなっており、さらに排水管差込部３ａから下方へ向かって連続してガイド部３ｂが垂下状に一体形成されている。
【００４１】
前記接続椀部２ａの上面側には、ゴムパッキン７が嵌め込まれており、このゴムパッキン７内に、上方より大便器の排水口８が差し込まれて、水密状に大便器の排水口８が排水ソケット１に接続されるものである。
また、排水ソケット１は、排水管固定部２ｂにボルト等を締め付けて床面Ｆに固定されるものであり、床面Ｆに埋設状に立ち上げられている排水管９に対し、排水管９内に排水管差込部３ａを挿着させて排水ソケット１の下部が排水管９に接続されるものである。
【００４２】
排水ソケット１の本体部２内には偏心流路４が形成されており、この偏心流路４の上端の流入口４ａに対し、偏心流路４の下端の流出口４ｂは、その中心が図示左方向にずれて偏心されている。
また、偏心流路４の内壁は緩やかに傾斜して、その上部部位には図示右側から左側に向かって上方から下方に下傾する傾斜状の排水受け面４ｃが形成されており、この排水受け面４ｃから下方に連続して、ほぼ垂直に排水案内面４ｄが偏心流路４内に形成されている。また、排水案内面４ｄの下端側、即ち流出口４ｂ側はラッパ状に拡径されている。
【００４３】
この流出口４ｂの下方に、排水管差込部３ａの下端が配置されており、排水管差込部３ａの下端に、内径を狭めたオリフィス状の絞り部５が形成され、この絞り部５は、排水ソケット１の流入口４ａから流出口４ｂに向かって流下する排水に対して略垂直となる方向に傾けられて形成されている。即ち、絞り部５の左側の受け面５ａよりも右側の受け面５ｂは低い位置となっており、偏心流路４の流入口４ａと流出口４ｂの中心を結ぶ中心軸線Ｐが、絞り部５の受け面５ａと受け面５ｂを結ぶ面に対し略垂直となるように設定されており、絞り部５は床面Ｆに対して図示左側から右側に向かって下傾した傾きとなっている。
【００４４】
この絞り部５から垂下状にガイド部３ｂが連続して一体形成されて、ガイド部３ｂ内のガイド流路６は、上方から下方に向かって図示左側へ傾いた曲面形状に形成されている。即ち、ガイド流路６の中心軸線Ｐ１は、偏心流路４の中心軸線Ｐと同方向に傾き、ガイド流路６の傾き方向が排水ソケット１の偏心流路４の偏心方向と同じに設定されている。
【００４５】
次に、第４実施例の排水の流れを説明する。
大便器の排水口８から汚物とともに排水ソケット１の偏心流路４内に流入される排水は、最初は流速が遅いため偏心流路４の排水受け面４ｃに当たり、排水案内面４ｄに沿って図中ａで示す方向に流下して、絞り部５の受け面５ａ，５ｂに当たり、排水が偏心流路４内に溜められてサイホンが起動されることとなる。サイホン起動後は流速が速く、偏心流路４内を排水で満たされた状態で、図中ｂで示す方向、即ち偏心流路４の偏心方向に排水が曲げられて流れてゆく。
【００４６】
ここで絞り部５は、流出口４ｂから流下する排水の流下方向に対して略垂直となる方向に傾けられているため、排水の流れに対して絞り部５の受け面５ａ，５ｂの面積を確保したまま、絞り部５の流路を広げることができ、流れ落ちる排水の抵抗を少なくできる。さらに、偏心流路４の偏心方向とガイド流路６の傾き方向が同じであるため、ガイド流路６内をスムーズに排水が通過することとなる。そのため、サイホン起動後の排水の抜けがスムーズとなり、サイホン流速を速くすることができる。
即ち、絞り部５の高さ位置を従来のものと同じ位置に設定しておけば、サイホン起動速度は従来と同じであり、サイホン起動後の排水の抜けを従来よりも速くすることができるものとなる。
なお、この場合、ガイド流路６内で排水は若干の抵抗を受けて、絞り部５の下方でサイホンを起こすことができ、水頭圧を上げてサイホン力を従来よりも高めることができるものである。
【００４７】
なお、図７の構成において、さらに、絞り部５の中心軸線を図示左方向に偏心させて構成することもできる。即ち、流出口４ｂから流下する排水の流下方向と同じ方向に絞り部５を偏心させて、ここでは、絞り部の受け面５ａの面積を小さくして、右側の受け面５ｂの面積を大に設定して構成することもでき、このような構成とすれば、サイホン起動前には右側の広い面積の受け面５ｂで排水を受けて、排水を早く溜めることができてサイホン起動を早めることができるものとなる。
【符号の説明】
【００４８】
１  排水ソケット
２  本体部
２ａ  接続椀部
２ｂ  排水管固定部
２Ａ  本体上部
２Ｂ  本体下部
３  円筒部材
３ａ  排水管差込部
３ｂ  ガイド部
４  偏心流路
４ａ  流入口
４ｂ  流出口
４ｃ  排水受け面
４ｄ  排水案内面
４ｅ  排水受け面
５  絞り部
５ａ，５ｂ  受け面
６  ガイド流路
７  ゴムパッキン
８  便器の排水口
９  排水管
Ｂ  接続部
Ｆ  床面
【図１】
2014101750.tif 000003
【図２】
2014101750.tif 000004
【図３】
2014101750.tif 000005
【図４】
2014101750.tif 000006
【図５】
2014101750.tif 000007
【図６】
2014101750.tif 000008
【図７】
2014101750.tif 000009